(57)【特許請求の範囲】
【請求項１】
紙葉類をその間に綴じ込むための一対の綴じ片と、基端が何れか一方の綴じ片に支持され先端側が他方の綴じ片に挿し通される綴じ足と、この綴じ足の先端側を引き続きその一部に挿し通すとともに当該挿通部において綴じ足を折り曲げた状態に係止する綴じ足係止部とを具備してなるものにおいて、前記綴じ足係止部を、開放操作部及び閉止操作部を有する一対のスライダによって少なくとも構成し、これらのスライダを他方の綴じ片に脱落せず且つスライドし得るように付帯させて、両閉止操作部を相寄る方向に引き寄せることによって両スライダを綴じ足を折り曲げて係止し得る方向に相対移動させ、両開放操作部を相寄る方向に引き寄せることによって両スライダを綴じ足を開放し得る方向に相対移動させ得るように構成し、
各スライダにスライド方向に延びる溝又は長孔を形成し、その溝又は長孔を介して当該スライダを止め具により綴じ片にスライド可能かつ脱落し得ないように取り付けていることを特徴とするファイル。
【請求項２】
止め具の先端側に設けた頭部を溝又は長孔のスライド方向に沿った縁部に係わり合わせ、基端を溝又は長孔を通過し且つ綴じ片を挿通した位置において当該綴じ片に固定している請求項１記載のファイル。
【請求項３】
開放操作部若しくは閉止操作部の何れか一方が各スライダの端部に形成してあるとともに、この操作部によって開閉される位置関係となるように相手方のスライダに綴じ足引出し開口を設け、その綴じ足引出し開口の開閉に伴って綴じ足の係止若しくはその解除を行い得るようにしている請求項１又は２記載のファイル。
【請求項４】
紙葉類をその間に綴じ込むための一対の綴じ片と、基端が何れか一方の綴じ片に支持され先端側が他方の綴じ片に挿し通される綴じ足と、この綴じ足の先端側を引き続きその一部に挿し通すとともに当該挿通部において綴じ足を折り曲げた状態に係止する綴じ足係止部とを具備してなるものにおいて、前記綴じ足係止部を、開放操作部及び閉止操作部を有する一対のスライダによって少なくとも構成し、これらのスライダを他方の綴じ片に脱落せず且つスライドし得るように付帯させて、両閉止操作部を相寄る方向に引き寄せることによって両スライダを綴じ足を折り曲げて係止し得る方向に相対移動させ、両開放操作部を相寄る方向に引き寄せることによって両スライダを綴じ足を開放し得る方向に相対移動させ得るように構成し、
開放操作部若しくは閉止操作部の少なくとも何れか一方を、相手方のスライダの一部を抱くように係わり合わせていることを特徴とするファイル。
【請求項５】
綴じ足係止部を、両スライダをスライド可能かつ脱落し得ないように取り付けるベースを具備してなるものにし、このベースを綴じ片に固定するようにしている請求項４記載のファイル。
【請求項６】
開放操作部若しくは閉止操作部の何れか一方が各スライダの端部に形成してあるとともに、この操作部によって開閉される位置関係となるようにベースに綴じ足引出し開口を設け、その綴じ足引出し開口の開閉に伴って綴じ足の係止若しくはその解除を行い得るようにしている請求項５記載のファイル。
【請求項７】
開放操作部及び閉止操作部を、ベースの一部を抱くように係わり合わせている請求項５又は６記載のファイル。
【請求項８】
表表紙と裏表紙の間が分離したものであり、綴じ片がそれらの表紙の綴じ元側の縁部を利用したものである請求項１〜７何れか記載のファイル。
【請求項９】
表表紙と裏表紙の間が背表紙で繋がったものであり、少なくとも他方の綴じ片が表表紙若しくは背表紙の内面より内側に折り込んだ位置に形成されている請求項１〜７何れか記載のファイル。
【請求項１０】
表表紙若しくは裏表紙の一方を綴じ元側に開口する袋状にするとともに、他方の綴じ元側に前記開口内に挿入可能な延出部を設け、この延出部を開口内に挿入した状態で、表表紙と裏表紙の間に表出する延出部を背表紙とするものであって、両綴じ片が表表紙及び裏表紙の内面より内側に折り込んだ位置に形成されている請求項１〜７何れか記載のファイル。
【請求項１１】
綴じ足の先端側を一部に挿し通すとともに当該挿通部において綴じ足を折り曲げた状態に係止するものであって、開放操作部及び閉止操作部を有する一対のスライダによって少なくとも構成し、両閉止操作部を相寄る方向に引き寄せることによって両スライダを綴じ足を折り曲げて係止し得る方向に相対移動させ、両開放操作部を相寄る方向に引き寄せることによって両スライダを綴じ足を開放し得る方向に相対移動させ得るように構成し、
各スライダにスライド方向に延びる溝又は長孔を形成し、その溝又は長孔を介して当該スライダを止め具によりファイルの綴じ片にスライド可能かつ脱落し得ないように取り付けたことを特徴とする綴じ足係止部。
【請求項１２】
綴じ足の先端側を一部に挿し通すとともに当該挿通部において綴じ足を折り曲げた状態に係止するものであって、開放操作部及び閉止操作部を有する一対のスライダによって少なくとも構成し、両閉止操作部を相寄る方向に引き寄せることによって両スライダを綴じ足を折り曲げて係止し得る方向に相対移動させ、両開放操作部を相寄る方向に引き寄せることによって両スライダを綴じ足を開放し得る方向に相対移動させ得るように構成し、
開放操作部若しくは閉止操作部の少なくとも何れか一方を、相手方のスライダの一部を抱くように係わり合わせていることを特徴とする綴じ足係止部。
【発明の詳細な説明】
【０００１】
【発明の属する技術分野】
本発明は、使い勝手に優れ、要素部品の組立も簡単に行うことができるようにしたファイルに関するものである。
【０００２】
【従来の技術】
この種のファイルとしては、例えば、紙葉類をその間に綴じ込むための一対の綴じ片と、基端を何れか一方の綴じ片に支持させ先端側を他方の綴じ片に貫通させた綴じ足と、この綴じ足の先端側を引き続きその一部に貫通させるとともに当該貫通部において綴じ足を折り曲げた状態に係止する綴じ足係止部とを具備しているものが挙げられる。
【０００３】
綴じ足係止部は、開放操作部及び閉止操作部を有する一対のスライダを備え、両閉止操作部を相寄る方向に引き寄せることによって両スライダを綴じ足を折り曲げて係止し得る方向に相対移動させ、両開放操作部を相寄る方向に引き寄せることによって両スライダを綴じ足を開放し得る方向に相対移動させることができるものである。
【０００４】
このような構成の綴じ足係止部は、係止、開放、何れの操作においても、指先で摘んでワンタッチ感覚で行うことができ、片手で簡便に操作できる利便性を有する点で極めて有用となるものである。
【０００５】
【発明が解決しようとする課題】
ところが、かかる綴じ足係止部は、２部品である一対のスライダが全体として相対移動することによって綴じ片の係止、開放を行うものである。このため、この綴じ足係止部は綴じ片とは分離独立しており、紙葉類の加除を行った後、綴じ足を紙葉類及び綴じ片の貫通孔に挿し通し、更にスライダに挿し通して、スライダにより係止できる状態にしなければならない。このように、綴じ足を2度挿し通す操作が不可欠なものであるため、折角スライダによる開閉時のワンタッチ操作を実現しても、全体として取り扱いの便に今ひとつ不具合の残るものである。
【０００６】
本発明は、このような課題に着目してなされたものであって、ワンタッチ感覚の操作性を損うことなく、紙葉類の加除をより簡便に行えるようにしたファイルを提供することを目的としている。
【０００７】
【課題を解決するための手段】
本発明は、かかる目的を達成するために、綴じ足係止部を、開放操作部及び閉止操作部を有する一対のスライダによって少なくとも構成する点において従来と同様であるものの、これらのスライダを綴じ片とは分離独立したものにするのではなく、他方の綴じ片に脱落せずかつスライドし得るように付帯させる点で異なる。そして、その状態で、両閉止操作部を相寄る方向に引き寄せることによって両スライダを綴じ足を折り曲げて係止し得る方向に相対移動させ、両開放操作部を相寄る方向に引き寄せることによって両スライダを綴じ足を開放し得る方向に相対移動させ得るように構成することとしている。
【０００８】
ここで、「紙葉類」とは、紙だけではなく、クリアーファイル等を含む概念である。
【０００９】
このように構成すれば、紙葉類の加除を行った後、綴じ足を綴じ片及びスライダに一挙に挿し通すことによって、スライダにより綴じ足を係止可能な状態にすることができる。しかも、スライダによる係止、解除操作は、指先で摘んでワンタッチ感覚で行うことができるため、片手で操作できる利便性も有効に確保することができる。
【００１０】
綴じ足係止部を２部品で構成することが要求される場合等には、各スライダにスライド方向に延びる溝又は長孔を形成し、その溝又は長孔を介して当該スライダを止め具により綴じ片にスライド可能かつ脱落し得ないように取り付けておけばよい。
【００１１】
具体的な態様としては、止め具の先端側に設けた頭部を溝又は長孔のスライド方向に沿った縁部に係わり合わせ、基端を溝又は長孔を通過し且つ綴じ片を貫通した位置において当該綴じ片に固定しているものが挙げられる。
【００１２】
２部品で綴じ足の係止、解除を行うための構成としては、開放操作部若しくは閉止操作部の何れか一方が各スライダの端部に形成してあるとともに、この操作部によって開閉される位置関係となるように相手方のスライダに綴じ足引出し開口を設け、その綴じ足引出し開口の開閉に伴って綴じ足の係止若しくはその解除を行い得るようにしたものが挙げられる。
【００１３】
２部品の動作を円滑にし、取り扱いの便も確保するためには、開放操作部若しくは閉止操作部の少なくとも何れか一方を、相手方のスライダの一部を抱くように係わり合わせておくことが望ましい。
【００１４】
綴じ足係止部を３部品で構成することが許容される場合等には、綴じ足係止部を、両スライダをスライド可能かつ脱落し得ないように取り付けるベースを具備してなるものにし、このベースを綴じ片に固定するようにすればよい。
【００１５】
３部品で綴じ足の係止、解除を行うための構成としては、開放操作部若しくは閉止操作部の何れか一方が各スライダの端部に形成してあるとともに、この操作部によって開閉される位置関係となるようにベースに綴じ足引出し開口を設け、その綴じ足引出し開口の開閉に伴って綴じ足の係止若しくはその解除を行い得るようにしたものが挙げられる。
【００１６】
この場合も、３部品の動作を円滑にし、取り扱いの便も確保するためには、開放操作部及び閉止操作部を、ベースの一部を抱くように係わり合わせておくことが望ましい。
【００１７】
ファイルの主体をなす表紙体の態様としては、表表紙と裏表紙の間が分離し、綴じ片がそれらの表紙の綴じ元側の縁部を利用したものであるものや、表表紙と裏表紙の間が背表紙で繋がっており、少なくとも他方の綴じ片が表表紙若しくは背表紙の内面より内側に折り込んだ位置に形成されているもの、更には、表表紙若しくは裏表紙の一方を綴じ元側に開口する袋状にするとともに、他方の綴じ元側に前記開口内に挿入可能な延出部を設け、この延出部を開口内に挿入した状態で、表表紙と裏表紙の間に表出する延出部を背表紙とするものであって、両綴じ片が表表紙及び裏表紙の内面より内側に折り込んだ位置に形成されているものが挙げられる。
このようなファイルを構成する綴じ足係止部としては、綴じ足の先端側を一部に挿し通すとともに当該挿通部において綴じ足を折り曲げた状態に係止するものであって、開放操作部及び閉止操作部を有する一対のスライダによって少なくとも構成し、両閉止操作部を相寄る方向に引き寄せることによって両スライダを綴じ足を折り曲げて係止し得る方向に相対移動させ、両開放操作部を相寄る方向に引き寄せることによって両スライダを綴じ足を開放し得る方向に相対移動させ得るように構成し、各スライダにスライド方向に延びる溝又は長孔を形成し、その溝又は長孔を介して当該スライダを止め具によりファイルの綴じ片にスライド可能かつ脱落し得ないように取り付けたものが好適である。
また、本発明の綴じ足係止部は、綴じ足の先端側を一部に挿し通すとともに当該挿通部において綴じ足を折り曲げた状態に係止するものであって、開放操作部及び閉止操作部を有する一対のスライダによって少なくとも構成し、両閉止操作部を相寄る方向に引き寄せることによって両スライダを綴じ足を折り曲げて係止し得る方向に相対移動させ、両開放操作部を相寄る方向に引き寄せることによって両スライダを綴じ足を開放し得る方向に相対移動させ得るように構成し、開放操作部若しくは閉止操作部の少なくとも何れか一方を、相手方のスライダの一部を抱くように係わり合わせていることを特徴とする。
【００１８】
【発明の実施の形態】
以下、本発明の実施形態について、図面を参照して説明する。
＜第１実施形態＞
この実施形態のファイルは、図１に全体斜視図、図２にその分解図を示すように、表表紙１１、裏表紙１２及び背表紙１３からなる表紙体１と、紙葉類Ｐをその間に綴じ込むために前記表紙体１に設けた一対の綴じ片２と、基端３１が一方の綴じ片２に支持され先端側３２が他方の綴じ片２に挿し通される綴じ足３と、この綴じ足３の先端側３２を引き続きその一部に挿し通すとともに当該挿通部３３において綴じ足３を折り曲げた状態に係止する綴じ足係止部４とを具備してなる。
【００１９】
一方の綴じ片２は、表紙体１を構成する裏表紙１２の綴じ元側の縁部内面より内側に折り込んだ位置に形成され、他方の綴じ片２は、表紙体１を構成する表表紙１１の綴じ元側の縁部内面より内側に折り込んだ位置に形成されているもので、裏表紙１２は綴じ元側に開口する袋状をなし、表表紙１１は綴じ元側の縁部１１aに連続する位置に前記開口内に挿入可能であって挿入方向と直交する方向に複数の襞を有する延出部２１を形成している。両綴じ片２は、表表紙１１の延出部２１を裏表紙１２の開口内に挿入した状態で、その挿入量に応じてその間に所要量の紙葉類Ｐを挟み込める距離を保って対面配置されるものであり、表表紙１１と裏表紙１２の間に表出する延出部２１が背表紙１３としての役割を果たすものである。そして、各々の長手方向へ離間した対応2箇所に綴じ足３を挿通するための挿通孔２２を設けている。
【００２０】
綴じ足３は、樹脂等により成形されたもので、長手方向に沿って所定ピッチで線状のリブ３３を有している。そして、裏表紙１２の綴じ片２に設けた挿通孔２２にこの綴じ足３を先端側３２から挿通して、前記挿通孔２２よりも拡開した基端部３１側を綴じ片２に支持させ得るようにしている。
【００２１】
綴じ足係止部４は、図３に分解斜視図、図４に平面図、図５に側面図を示すように、開放操作部たる開放摘み５１及び閉止操作部たる閉止摘み５２を有する一対のスライダ５を主体として構成されるもので、これらのスライダ５を表表紙１１の綴じ片２に当てがうようにしている。
【００２２】
スライダ５は、巾方向両縁にレール部５３を形成した基部領域５ｘ及びこの基部領域５ｘの端部より一側縁よりに偏位した位置に延長する半巾の操作領域５ｙからなる板状部５４と、この板状部５４の操作領域５ｙの両端に肉厚方向へ突出させて一体的に設けた前記開放摘み５１及び閉止摘み５２とを備えている。両摘み５１、５２は基部領域５ｘよりも若干幅広で、開放摘み５１は相手方の基部領域５ｘを両側から抱きかかえるようにしてそのレール部５３に係わり合う係合爪５１aを有し、閉止摘み５２は相手方の操作領域５ｙを片側から抱きかかえるようにしてその外側の縁部５５に係わり合う係合爪５２aを有している。そして、両スライダ５を、その操作領域５ｙの内縁同士が密接に擦れ合うように（すなわち、操作領域５ｙが見掛け上基部領域５ｘに略同巾で連続するように）隣接させて、各摘み５１、５２を対応するレール部５３及び縁部５５に係わり合わせ、長手方向に相対移動可能かつ分離し得ないように組み付けている。このようにして、両スライダ５は、両開放摘み５１を相寄る方向に引き寄せて各々が相手方の閉止摘み５２に衝き当たるか若しくは近接する位置にまで離反方向へ相対移動させた図６（ａ）の開放状態と、両閉止摘み５２を相寄る方向に引き寄せて互いが衝き当たるか若しくは近接する位置にまで重合方向へ相対移動させた図６（ｂ）の閉止状態とを選択的にとり得るものである。そして、各々の板状部５４の基部領域５ｘにおいて、前記開放摘み５１によって開閉される位置に綴じ足引出し開口５６を設け、この開口５６より綴じ片２側に挿し通した綴じ足３を引き出した際に、閉止状態でスライダ５の開放摘み５１と綴じ足引出し開口５６の開口縁５６aとによって綴じ足３を折り曲げて係止し、開放状態でスライダ５の開放摘み５１を綴じ足引出し開口５６から退避させて綴じ足３を開放し得るようにしている。図中符号５９で示すものは綴じ足収納凹溝である。
【００２３】
このような構成に加えて、本実施形態は、これらのスライダ５を表表紙１１側の綴じ片２に脱落せず且つスライドし得るように付帯させている。具体的には、各スライダ５の基部領域５ｘに平面視矩形状の長孔５７を形成し、先端部に頭部を有する樹脂製の止め具５８を作成して、止め具５８の基端側をその長孔５７に通過させ、かつ綴じ片２を貫通させて、頭部を長孔５７のスライド方向に沿って若干の段差を有する縁部に係わり合わせ、頭部の上面が基部領域５ｘと面一となる位置で止め具５８の基端を綴じ片２に脱落し得ないように取り付けている（図示省略）。すなわち、止め具５８が綴じ片２に固定であるのに対して、両スライダ５は上述のように相対移動するものであり、その相対移動距離の半分の距離だけ少なくとも各々のスライダ５が移動し得るように、止め具５８に対する長孔５７の開口寸法を規定している。
【００２４】
このように構成したファイルを利用するには、まず、裏表紙１２側の綴じ片２に設けた挿通孔２２に綴じ足３を挿し通し、この綴じ足３に綴じ孔Ｐ１を重合させて所要の紙葉類Ｐを挿し通す。次いで、綴じ足３を表表紙１１側の綴じ片２に設けた挿通孔２２及びスライダ５の閉じ足引出し開口５６に挿通させる。その後、綴じ片２が紙葉類Ｐに触れるまで延出部２１の開口への挿入深さ、すなわち背表紙１３の幅を調整する。そして、綴じ足係止部４の閉止摘み５２を指で摘んで相寄る方向に引き寄せる。この結果、綴じ足係止部４の開放摘み５２同士が離間し、綴じ足２が一方のスライダ５の開放摘み５１と他方のスライダ５の綴じ足引出し開口５６の縁部５６aとに挟まれて折り曲げられ、固定される。紙葉類Ｐの加除が必要になった場合は、上記と逆の操作を行えばよい。
【００２５】
以上のように、本実施形態のファイルは、綴じ足係止部４を構成する一対のスライダ５を綴じ片２と分離独立したものにするのではなく、他方の綴じ片２に脱落せずかつスライドし得るように付帯させており、その状態で、両閉止摘み５２を相寄る方向に引き寄せることによって両スライダ５を綴じ足３を折り曲げて係止し得る方向に相対移動させ、両開放摘み５１を相寄る方向に引き寄せることによって両スライダ５を綴じ足３を開放し得る方向に相対移動させ得るようにしている。
【００２６】
このため、紙葉類Ｐの加除を行った後、綴じ足３を綴じ片２及びスライダ５に一挙に挿し通すことによって、スライダ５により綴じ足３を係止可能な状態にすることができ、しかも、スライダ５による係止、解除操作を指先で摘んでワンタッチ感覚で行う機能を損なわずに片手で操作できる利便性も有効に確保することができるため、全体としてファイルの取り扱いの便を従来に比べて確実に向上させることが可能となる。
【００２７】
また、綴じ足係止部４を本実施形態のように２部品である一対のスライダ５のみによって構成しても、各スライダ５にスライド方向に延びる長孔５７を形成し、その長孔５７を介して当該スライダ５を止め具５８により綴じ片２にスライド可能かつ脱落し得ないように取り付けているため、両スライダ５の綴じ片２に対するスライド動作を許容しつつ、綴じ片２に分離せずに付帯させた状態を有効に実現することができる。
【００２８】
その際、止め具５８の先端側に設けた頭部を長孔５７のスライド方向に沿った縁部に係わり合わせ、基端を長孔５７を通過し且つ綴じ片２を貫通した位置において当該綴じ片２に固定しているため、取付構造の簡素さも確保することができる。
【００２９】
また、開放摘み５１が各スライダ５の端部に形成してあり、この摘み５１によって開閉される位置関係となるように相手方のスライダ５に綴じ足引出し開口５６を設け、その綴じ足引出し開口５６の開閉に伴って綴じ足３の係止若しくはその解除を行い得るようにしているため、２部品であっても綴じ足３の係止、解除を有効に行うことができる。
【００３０】
その際、開放摘み５１や閉止摘み５２を、相手方のスライダ５の一部を抱くように係わり合わせているため、互いのスライダ５がガイドし合って、両スライダ５の動作を円滑にし、綴じ足係止部４として一体的に取り扱うことも可能になる。
【００３１】
なお、上記の長孔５７に代えて、四方の閉じていない溝（図示省略）によっても、基本的に同様の効果を得ることができる。
＜第２実施形態＞
この実施形態のファイルは、前記実施形態と同様の表紙体１、綴じ片２及び綴じ足３を有し、前記実施形態と異なる綴じ足係止部１０４によって綴じ足３を係止するようにしている。
【００３２】
綴じ足係止部１０４は、図７に分解斜視図、図８に平面図、図９に側面図を示すように、開放操作部たる開放摘み１０５１及び閉止操作部たる閉止摘み１０５２を有する一対のスライダ１０５と、両スライダ１０５をスライド可能かつ脱落し得ないように取り付けるベース１０６を具備し、ベース１０６を表表紙１１の綴じ片２に当てがうようにしている。
【００３３】
ベース１０６は、長手方向両端近傍において巾方向両縁にレール部１０６１を形成した基部領域１０６ｘと、両基部領域１０６ｘの中間位置にあってスライダ１０５の開放摘み１０５１及び閉止摘み１０５２が配置される操作領域１０６ｙとからなる板状のものである。
【００３４】
スライダ１０５は、開放摘み１０５１と閉止摘み１０５２の間を連結板１０５３で連結したもので、連結板１０５３に対してこれらの摘み１０５１、１０５２は肉厚方向へ突出させて一体的に設けてある。両摘み１０５１、１０５２はベース１０６の基部領域１０６ｘよりも若干幅広で、開放摘み１０５１はベース１０６の基部領域１０６ｘを両側から抱きかかえるようにしてそのレール部１０６１に係わり合う係合爪１０５１aを有し、閉止摘み１０５２は相手方の連結板１０５３を片側から抱きかかえるようにしてその外側の縁部１０５４に係わり合う係合爪１０５２aを有している。そして、両スライダ１０５を、その連結板１０５３の内縁同士が密接に擦れ合うように（すなわち、操作領域が見掛け上基部領域に略同巾で連続するように）隣接させて、各摘み１０５１、１０５２を対応するレール部１０６１及び縁部１０５４に係わり合わせ、長手方向に相対移動可能かつ分離し得ないように組み付けている。このようにして、両スライダ１０５は、両開放摘み１０５１を相寄る方向に引き寄せて各々が相手方の閉止摘み１０５２に衝き当たるか若しくは近接する位置にまで離反方向へ相対移動させた図１０（ａ）の開放状態と、両閉止摘み１０５２を相寄る方向に引き寄せて互いが衝き当たるか若しくは近接する位置にまで重合方向へ相対移動させた図１０（ｂ）の閉止状態とを選択的にとり得るものである。そして、各々のベース１０６の基部領域１０６ｘにおいて、前記開放摘み１０５１によって開閉される位置に綴じ足引出し開口１０６２を設け、この開口１０６２より綴じ片２側に挿し通した綴じ足３を引き出した際に、閉止状態でスライダ１０５の開放摘み１０５１と綴じ足引出し開口１０６２の開口縁１０６２aとによって綴じ足３を折り曲げて係止し、開放状態でスライダ１０５の開放摘み１０５１を綴じ足引出し開口１０６２から退避させて綴じ足３を開放し得るようにしている。図中符号１０６４で示すものは綴じ足収納凹溝である。
【００３５】
このように構成される本実施形態の綴じ足係止部１０４は、ベース１０６に丸孔１０６３を設け、この丸孔１０６３に止め具１０５８を挿し通すことによって、ベース１０６を表表紙１１側の綴じ片２に直接取り付け、両スライダ１０５を綴じ片２に脱落せず且つスライドし得るように付帯させるようにしている。すなわち、両スライダ１０５がベース１０６を足場に相対移動するだけで、ベース１０６は綴じ片２に対して移動しないため、このベース１０６を綴じ片２に直接取り付けても、綴じ足係止部１０４としての機能を確保することができる。また、このようなベース１０６が存在すると、綴じ足収納凹溝１０６４を十分に確保することができるので、図に示すようにその溝底の綴じ足３のリブ３３に係合する係合リブ１０６４aを設ける等して、綴じ込み状態の確実性を高めるためにも有効となる。
【００３６】
以上のように、綴じ足係止部１０４を一対のスライダ１０５及びベース１０６からなる３部品で構成することが許容される場合等に、綴じ足係止部１０４を、両スライダ１０５をスライド可能かつ脱落し得ないように取り付けるベース１０６を具備してなるものにし、このベース１０６を綴じ片２に固定するようにすれば、綴じ足係止部１０４の固定及びスライダ１０５の動作をより確実なものにすることができる。
【００３７】
その際、開放摘み１０５１が各スライダ１０５の端部に形成してあり、この摘み１０５１によって開閉される位置関係となるようにベース１０６に綴じ足引出し開口１０６２を設け、その綴じ足引出し開口１０６２の開閉に伴って綴じ足３の係止若しくはその解除を行い得るようにしているため、３部品によって綴じ足３の係止、解除を的確に行うことができる。
【００３８】
特に、開放摘み１０５１及び閉止摘み１０５２を、ベース１０６の一部を抱くように係わり合わせているため、３部品の相互の動作を円滑にし、綴じ足係止部１０４として一体的に取り扱うことも可能になる。
【００３９】
以上、本発明の実施形態について説明したが、各部の具体的な構成は、上述した実施形態のみに限定されるものではなく、本発明の趣旨を逸脱しない範囲で種々変形が可能である。
【００４０】
【発明の効果】
本発明は、以上に詳述した構成であるから、ワンタッチ感覚の操作性を損うことなく、紙葉類の加除をより簡便に行えるようにした有用なファイルを提供することが可能となる。
【図面の簡単な説明】
【図１】本発明の第１実施形態を示す全体斜視図。
【図２】図1の分解図。
【図３】同実施形態の綴じ足係止部を示す分解斜視図。
【図４】同平面図。
【図５】同側面図。
【図６】図４に対応した作用説明図。
【図７】本発明の第２実施形態に係る綴じ足係止部を示す分解斜視図。
【図８】同平面図。
【図９】同側面図。
【図１０】図８に対応した作用説明図。
【符号の説明】
１１…表表紙
１２…裏表紙
１３…背表紙
２…綴じ片
２１…延出部
３…綴じ足
４、１０４…綴じ足係止部
５、１０５…スライダ
５１、１０５１…開放摘み（開放操作部）
５２、１０５２…閉止摘み（閉止操作部）
５６、１０６２…綴じ足引出し開口
５７…長孔
５８、１０５８…止め具
１０６…ベース
Ｐ…紙葉類
【図１】
0004132901.tif 000002
【図２】
0004132901.tif 000003
【図３】
0004132901.tif 000004
【図４】
0004132901.tif 000005
【図５】
0004132901.tif 000006
【図６】
0004132901.tif 000007
【図７】
0004132901.tif 000008
【図８】
0004132901.tif 000009
【図９】
0004132901.tif 000010
【図１０】
0004132901.tif 000011